(57)【特許請求の範囲】
【請求項１】
事前に定義された通話中着信音送出時間を含む通話中着信音送出時間情報を記憶する通話中着信音送出時間記憶部（５）と、前記通話中着信音送出時間記憶部（５）に記憶する通話中着信音送出時間情報に基づく通話中着信音送出時間を任意に設定する通話中着信音送出時間設定処理部（３）と、外線相手とのアナログ通話時において、第３者である外線相手からのアナログ着信時に、前記通話中着信音送出時間設定処理部（３）で設定された通話中着信音送出時間だけ通話中着信音をＩＳＤＮ通信制御装置内に接続されているアナログ機器に送出するアナログ通信処理部（２）とを備えるＩＳＤＮ通信制御装置において、
前記通話中着信音送出時間設定処理部（３）は、設定する通話中着信音送出時間をＩＳＤＮ通信制御装置に接続する端末装置からの設定画面から任意に設定する、ことを特徴とするＩＳＤＮ通信制御装置。
【請求項２】
事前に定義された通話中着信音送出時間を含む通話中着信音送出時間情報を記憶する通話中着信音送出時間記憶部（５）と、前記通話中着信音送出時間記憶部（５）に記憶する通話中着信音送出時間情報に基づく通話中着信音送出時間を任意に設定する通話中着信音送出時間設定処理部（３）と、外線相手とのアナログ通話時において、第３者である外線相手からのアナログ着信時に、前記通話中着信音送出時間設定処理部（３）で設定された通話中着信音送出時間だけ通話中着信音をＩＳＤＮ通信制御装置内に接続されているアナログ機器に送出するアナログ通信処理部（２）とを備えるＩＳＤＮ通信制御装置において、
前記通話中着信音送出時間設定処理部（３）は、設定する通話中着信音送出時間をＩＳＤＮ通信制御装置に接続する端末装置からのコマンドから任意に設定する、ことを特徴とするＩＳＤＮ通信制御装置。
【請求項３】
事前に定義された通話中着信音送出時間を含む通話中着信音送出時間情報を記憶する通話中着信音送出時間記憶部（５）と、前記通話中着信音送出時間記憶部（５）に記憶する通話中着信音送出時間情報に基づく通話中着信音送出時間を任意に設定する通話中着信音送出時間設定処理部（３）と、外線相手とのアナログ通話時において、第３者である外線相手からのアナログ着信時に、前記通話中着信音送出時間設定処理部（３）で設定された通話中着信音送出時間だけ通話中着信音をＩＳＤＮ通信制御装置内に接続されているアナログ機器に送出するアナログ通信処理部（２）とを備えるＩＳＤＮ通信制御装置において、
前記アナログ通信処理部（２）は、設定した通話中着信音送出時間経過後に通話中着信音が停止しても、その後のＩＳＤＮ通信制御装置内に接続されているアナログ機器のキャッチホン操作により前記第３者である外線相手との通話を可能にする、ことを特徴とするＩＳＤＮ通信制御装置。
【請求項４】
事前に定義された通話中着信音送出時間を含む通話中着信音送出時間情報を記憶する通話中着信音送出時間記憶部（５）と、前記通話中着信音送出時間記憶部（５）に記憶する通話中着信音送出時間情報に基づく通話中着信音送出時間を任意に設定する通話中着信音送出時間設定処理部（３）と、外線相手とのアナログ通話時において、第３者である外線相手からのアナログ着信時に、前記通話中着信音送出時間設定処理部（３）で設定された通話中着信音送出時間だけ通話中着信音をＩＳＤＮ通信制御装置内に接続されているアナログ機器に送出するアナログ通信処理部（２）とを備えるＩＳＤＮ通信制御装置において、
前記アナログ通信処理部（２）は、設定した通話中着信音送出時間経過後に通話中着信音が停止した後、呼び出し中の前記第３者である外線相手が呼び出し処理を停止させた場合、通話中着信停止音をＩＳＤＮ通信制御装置内に接続されているアナログ機器に送出する、ことを特徴とするＩＳＤＮ通信制御装置。
【発明の詳細な説明】
【０００１】
【発明の属する技術分野】
この発明は、通話状態における第３者である外線相手からのアナログ着信時に送出する通話中着信音の送出を任意に設定できるようにして、通話状態にある外線相手との通話に支障をきたさないようにすることを実現するＩＳＤＮ通信制御装置に関するものである。
【０００２】
【従来の技術】
【０００３】
図13は従来技術の構成図を示すものである。同図において、ＩＳＤＮ通信制御装置５１は、アナログ通信処理部５２を構成し、ＩＳＤＮ網（ディジタル総合サービス網）１１と接続するとともに、ＩＳＤＮ通信制御装置５１内に接続する電話機などのアナログ機器５４と接続している。
【０００４】
一方、公衆回線網１０は、ＩＳＤＮ網１１および電話中心のアナログ網１２を含むディジタル通信路を提供するネットワークからなる。外線相手Ａ１３および外線相手Ｂ１４は公衆回線網１０に接続可能であり、ＩＳＤＮ網１１あるいはアナログ網１２とＩＳＤＮ網１１とを経由してＩＳＤＮ通信制御装置５１内に接続するアナログ機器５４と接続されている。
【０００５】
前記アナログ通信処理部５２は、キャッチホンまたは擬似キャッチホンの設定を行った状態において、アナログ機器５４が外線相手Ａ１３と通話状態にある場合に、第３者である外線相手Ｂ１４が呼び出し処理中であれば、通話中着信音をＩＳＤＮ通信制御装置５１内に接続するアナログ機器５４に送出し続ける通話中着信音送出処理を実行する。
【０００６】
なお、図１６に示すように、通話中着信音送出処理において、例えば「ププー、ププー」と鳴らす通話中着信音を送出させる間隔を３秒間隔になるように固定して設定されている。
【０００７】
また、前記アナログ通信処理部５２は、通話中着信音をＩＳＤＮ通信制御装置５１内に接続するアナログ機器５４に送出し続ける間に、ＩＳＤＮ通信制御装置５１内に接続されているアナログ機器５４のキャッチホン操作により、前記第３者である外線相手Ｂ１４との通話を可能にする処理を実行する。
【０００８】
また、前記アナログ通信処理部５２は、第３者である外線相手Ｂ１４が呼び出し処理を停止させた場合は、通話中着信音の送出を停止する処理を実行する。
【０００９】
つぎに、ＩＳＤＮ通信制御装置の処理手順を説明する。
【００１０】
図１４は従来技術のフローチャートを示す。同図は、通話状態において、第３者である外線相手が呼び出し処理中であり、ＩＳＤＮ通信制御装置内に接続されているアナログ機器のキャッチホン操作により、前記第３者である外線相手との通話を可能にする処理手順を示す。
【００１１】
ステップＳ５１において、ＩＳＤＮ通信制御装置５１にキャッチホンまたは擬似キャッチホンの設定を行う。
【００１２】
ステップＳ５２において、ＩＳＤＮ通信制御装置５１内に接続されているアナログ機器５４と外線相手Ａ１３とが通話中の状態となる。
【００１３】
ステップＳ５３において、外線相手Ｂ１４がＩＳＤＮ通信制御装置５１にアナログ発信を行う。
【００１４】
ステップＳ５４において、アナログ通信処理部５２はアナログ機器５４に通話中着信音の送出を開始する。（アナログ機器５４と外線相手Ａ１３とが通話状態、外線相手Ｂ１４は呼び出し状態）
【００１５】
ステップＳ５５において、アナログ機器５４の利用者がキャッチホン（フッキング）操作を行う。
【００１６】
ステップＳ５６において、アナログ通信処理部５２は通話中着信音の送出を停止し、アナログ機器５４の通話を外線相手Ｂ１４に切替える。
【００１７】
図１５は従来技術のフローチャートを示す。同図は、呼び出し中の第３者である外線相手が呼び出し処理を停止させた場合の処理手順を示す。
【００１８】
ステップＳ６１において、ＩＳＤＮ通信制御装置５１にキャッチホンまたは擬似キャッチホンの設定を行う。
【００１９】
ステップＳ６２において、ＩＳＤＮ通信制御装置５１内に接続されているアナログ機器５４と外線相手Ａ１３とが通話中の状態となる。
【００２０】
ステップＳ６３において、外線相手Ｂ１４がＩＳＤＮ通信制御装置５１にアナログ発信を行う。
【００２１】
ステップＳ６４において、アナログ通信処理部５２はアナログ機器５４に通話中着信音の送出を開始する。（アナログ機器５４と外線相手Ａ１３とが通話状態、外線相手Ｂ１４は呼び出し状態）
【００２２】
ステップＳ６５において、外線相手Ｂ１４が呼び出しを中止する。
【００２３】
ステップＳ６６において、アナログ通信処理部５２はアナログ機器５４に送出している通話中着信音の送出を停止する。
【００２４】
すなわち、図１６（ａ）に示すように、ＩＳＤＮ通信制御装置５１内に接続されているアナログ機器５４と外線相手Ａ１３とが通話中の状態において、第３者である外線相手Ｂ１４が呼び出し処理中であれば、アナログ機器５４の利用者がキャッチホン操作を行わないかぎり、通話中着信音は鳴りっぱなしである。
【００２５】
また、図１６（ｂ）に示すように、第３者である外線相手Ｂ１４が呼び出し処理を中止させたことを通話中着信音が消えることによって確認することになる。
【００２６】
【発明が解決しようとする課題】
前記のごとく、従来の技術では次のような問題点がある。
【００２７】
第３者である外線相手が呼び出し処理を実行し通話中着信音が送出される場合、通話状態にある外線相手と重要な会話を行っている場合でも、第３者である外線相手が呼び出しを続ける限り、通話状態にある外線相手との会話は途切れ途切れとなってしまう。
【００２８】
この発明の課題は、
キャッチホンまたは擬似キャッチホンの設定を行った状態で、外線相手とアナログ通話中に第３者である外線相手から着信があると、送出する通話中着信音の送出を指定する。これにより、第３者である外線相手からの着信を確認し、かつ、通話状態にある外線相手との通話に支障をきたさなくする。
【００２９】
すなわち、通話状態における第３者である外線相手からのアナログ着信時に送出する通話中着信音の送出時間を予め設定し、第３者である外線相手からの着信を確認しつつ、通話状態である外線相手との通話を延々と途切れることがないようにすることにある。
【００３０】
また、通話状態における第３者である外線相手からのアナログ着信時に送出する通話中着信音を停止させても、第３者である外線相手の呼び出しを停止させないようにすることにある。
【００３１】
また、第３者である外線相手が呼び出し処理を停止させたことを確認するようにすることにある。
【００３３】
【課題を解決するための手段】
前記の問題点を解決するために、この発明では次に示す手段を取った。
【００３４】
通話中着信音の送出時間を設定可能とし、第３者である外線相手からのアナログ着信時に、指定した時間後に通話中着信音の送出のみを停止させる。さらに、通話中着信音の送出のみを停止させた状態でも、、第３者である外線相手の呼び出しを保持し、アナログ機器のキャッチホン操作により、アナログ通話を可能にする。
【００３５】
上記の手段をとることにより、通話中着信音を指定した時間だけ送出することで、第３者である外線相手からの着信を確認しつつ、通話状態にある外線相手との通話を延々と途切れさせないようにする。また、通話中着信音を停止させることでも、第３者である外線相手の呼び出しは停止させないようにする。
【００３８】
【発明の実施の形態】
この発明は、次に示す実施の形態を取った。
【００３９】
図１は本発明の構成図を示す。
【００４０】
同図において、１はＩＳＤＮ通信制御装置であり、アナログ通信処理部２と、通話中着信音送出時間設定処理部３と、通話中着信音送出時間記憶部５とを構成する。アナログ通信処理部２はＩＳＤＮ網１１と接続するとともに、ＩＳＤＮ通信制御装置１内に接続する電話機などのアナログ機器４と接続する。
【００４１】
一方、公衆回線網１０は、ＩＳＤＮ網１１および電話中心のアナログ網１２を含むディジタル通信路を提供するネットワークからなる。外線相手Ａ１３および外線相手Ｂ１４は公衆回線網１０に接続可能であり、ＩＳＤＮ網１１あるいはアナログ網１２とＩＳＤＮ網１１とを経由してＩＳＤＮ通信制御装置１内に接続するアナログ機器４と接続される。
【００４２】
前記通話中着信音送出時間記憶部５は、通話状態における第３者からのアナログ着信時に、通話中着信音を送出するために事前に定義された複数の通話中着信音送出時間を示す通話中着信音送出時間情報を記憶する。
【００４３】
前記通話中着信音送出時間設定処理部３は、前記通話中着信音送出時間記憶部５に記憶する通話中着信音送出時間情報に基づいて、通話中着信音送出時間を任意に設定する処理を実行する。なお、通話中着信音送出時間を任意に設定する際は、設定画面６によって設定できる。また、コマンド７によっても設定できる。
【００４４】
前記アナログ通信処理部２は、アナログ機器４が外線相手Ａ１３と通話状態にある場合、第３者である外線相手Ｂ１４からのアナログ着信時に、前記通話中着信音送出時間設定処理部３で設定された通話中着信音送出時間だけ通話中着信音をＩＳＤＮ通信制御装置１内に接続されているアナログ機器４に送出する処理を実行する。
【００４５】
また、前記アナログ通信処理部２は、設定した通話中着信音送出時間経過後に通話中着信音が停止しても、その後のＩＳＤＮ通信制御装置１内に接続されているアナログ機器４のキャッチホン操作により前記第３者である外線相手Ｂ１４との通話を可能にする処理を実行する。
【００４６】
また、前記アナログ通信処理部２は、設定した通話中着信音送出時間経過後に通話中着信音が停止した後、呼び出し中の前記第３者である外線相手Ｂ１４が呼び出し処理を停止させた場合、通話中着信音とは異なる通話中着信停止音をＩＳＤＮ通信制御装置１内に接続されているアナログ機器４に送出する処理を実行する。
【００４７】
図２は本発明とともに開発した参考例の構成図を示す。
【００４８】
同図において、１はＩＳＤＮ通信制御装置であり、アナログ通信処理部２と、通話中着信音送出間隔設定処理部２３と、通話中着信音送出間隔記憶部２５とを構成する。アナログ通信処理部２はＩＳＤＮ網１１と接続するとともに、ＩＳＤＮ通信制御装置１内に接続する電話機などのアナログ機器４と接続する。
【００４９】
一方、公衆回線網１０は、ＩＳＤＮ網１１および電話中心のアナログ網１２を含むディジタル通信路を提供するネットワークからなる。外線相手Ａ１３および外線相手Ｂ１４は公衆回線網１０に接続可能であり、ＩＳＤＮ網１１あるいはアナログ網１２とＩＳＤＮ網１１とを経由してＩＳＤＮ通信制御装置１内に接続するアナログ機器４と接続される。
【００５０】
前記通話中着信音送出間隔記憶部２５は、通話状態における第３者からのアナログ着信時に、通話中着信音を送出するために事前に定義された複数の通話中着信音送出間隔を示す通話中着信音送出間隔情報を記憶する。
【００５１】
また、前記通話中着信音送出間隔設定処理部２３は、通話中着信音送出隔間情報に基づいて通話中着信音送出間隔を任意に設定する処理を実行する。なお、通話中着信音送出間隔を任意に設定する際は、設定画面６によって設定できる。また、コマンド７によっても設定できる。
【００５２】
前記アナログ通信処理部２は、アナログ機器４が外線相手Ａ１３と通話状態にある場合、第３者である外線相手Ｂ１４からのアナログ着信時に、前記通話中着信音送出間隔設定処理部２３で設定された通話中着信音送出間隔に基づいて通話中着信音をＩＳＤＮ通信制御装置１内に接続されているアナログ機器４に送出する処理を実行する。
【００５３】
すなわち、図１に示すように、ＩＳＤＮ通信制御装置１は、
事前に定義された通話中着信音送出時間を含む通話中着信音送出時間情報を記憶する通話中着信音送出時間記憶部５と、
前記通話中着信音送出時間記憶部５に記憶する通話中着信音送出時間情報に基づく通話中着信音送出時間を任意に設定する通話中着信音送出時間設定処理部３と、
外線相手とのアナログ通話時において、第３者である外線相手からのアナログ着信時に、前記通話中着信音送出時間設定処理部３で設定された通話中着信音送出時間だけ通話中着信音をＩＳＤＮ通信制御装置内に接続されているアナログ機器に送出するアナログ通信処理部２とを備える。
【００５４】
上記の形態をとることにより、通話状態における第３者からのアナログ着信時に、通話中着信音を設定された時間だけ送出し続けることで、第３者である外線相手からの着信を確認しつつ、通話状態にある外線相手との通話を延々と途切れさせないようにする。
【００５５】
さらに、前記通話中着信音送出時間設定処理部３は、
設定する通話中着信音送出時間をＩＳＤＮ通信制御装置に接続する端末装置からの設定画面６から任意に設定する。
【００５６】
上記の形態をとることにより、通話中着信音送出時間記憶部に記憶する通話中着信音送出時間情報を表示部に表示し、任意の通話中着信音送出時間を設定画面によって設定する。
【００５７】
さらに、前記通話中着信音送出時間設定処理部３は、
設定する通話中着信音送出時間をＩＳＤＮ通信制御装置に接続する端末装置からのコマンド７から任意に設定する。
【００５８】
上記の形態をとることにより、通話中着信音送出時間記憶部に記憶する通話中着信音送出時間情報に基づいてコマンド入力によって任意の通話中着信音送出時間を設定する。
【００５９】
さらに、前記アナログ通信処理部２は、
設定した通話中着信音送出時間経過後に通話中着信音が停止しても、その後のＩＳＤＮ通信制御装置１内に接続されているアナログ機器４のキャッチホン操作により前記第３者である外線相手との通話を可能にする。
【００６０】
上記の形態をとることにより、通話状態における第３者からのアナログ着信時に、設定された時間経過後に通話中着信音を停止させても、第３者である外線相手の呼び出しを停止させないようにする。
【００６１】
さらに、前記アナログ通信処理部２は、
設定した通話中着信音送出時間経過後に通話中着信音が停止した後、呼び出し中の前記第３者である外線相手が呼び出し処理を停止させた場合、通話中着信停止音をＩＳＤＮ通信制御装置１内に接続されているアナログ機器４に送出する。
【００６２】
上記の形態をとることにより、第３者である外線相手が呼び出し処理を停止させたことを通話中着信停止音によって確認するようにする。
【００６３】
また、図２に示すように、ＩＳＤＮ通信制御装置１は、
事前に定義された通話中着信音送出間隔を含む通話中着信音送出間隔情報を記憶する通話中着信音送出間隔記憶部２５と、
前記通話中着信音送出間隔記憶部２５に記憶する通話中着信音送出間隔情報に基づく通話中着信音送出間隔を任意に設定する通話中着信音送出間隔設定処理部２３と、
外線相手とのアナログ通話時において、第３者である外線相手からのアナログ着信時に、前記通話中着信音送出間隔設定処理部２３で設定された通話中着信音送出間隔に基づいて通話中着信音をＩＳＤＮ通信制御装置内に接続されているアナログ機器に送出するアナログ通信処理部２とを備える。
【００６４】
上記の形態をとることにより、設定する通話中着信音送出間隔を適宜に長く設定すれば、通話状態における第３者からのアナログ着信時に、第３者である外線相手からの着信を確認しつつ、通話状態にある外線相手との通話に支障をきたさなくする。
【００６５】
さらに、前記通話中着信音送出間隔設定処理部２３は、
設定する通話中着信音送出間隔をＩＳＤＮ通信制御装置に接続する端末装置からの設定画面から任意に設定する。
【００６６】
上記の形態をとることにより、通話中着信音送出間隔記憶部に記憶する通話中着信音送出間隔情報を表示部に表示し、任意の通話中着信音送出間隔を設定画面によって設定する。
【００６７】
さらに、前記通話中着信音送出間隔設定処理部２３は、
設定する通話中着信音送出間隔をＩＳＤＮ通信制御装置に接続する端末装置からのコマンドから任意に設定する。
【００６８】
上記の形態をとることにより、通話中着信音送出間隔記憶部に記憶する通話中着信音送出間隔情報に基づいてコマンド入力によって任意の通話中着信音送出間隔を設定する。
【００６９】
また、ＩＳＤＮ通信制御方法は、
事前に定義された通話中着信音送出時間情報に基づく通話中着信音送出時間を任意に設定し、
外線相手とのアナログ通話時において、第３者である外線相手からのアナログ着信時に、前記設定された通話中着信音送出時間だけ通話中着信音をＩＳＤＮ通信制御装置内に接続されているアナログ機器に送出する。
【００７０】
上記の形態をとることにより、通話状態における第３者からのアナログ着信時に、通話中着信音を設定された時間だけ送出し続けることで、第３者である外線相手からの着信を確認しつつ、通話状態にある外線相手との通話を延々と途切れさせないようにする。また、設定した通話中着信音送出時間経過後に通話中着信音が停止しても、その後のＩＳＤＮ通信制御装置内に接続されているアナログ機器のキャッチホン操作により前記第３者である外線相手との通話を可能にすれば、第３者である外線相手の呼び出しは停止させないようにする。また、前記第３者である外線相手が呼び出し処理を停止させた場合、通話中着信停止音をＩＳＤＮ通信制御装置内に接続されているアナログ機器に送出すれば、第３者である外線相手が呼び出し処理を停止させたことを通話中着信停止音によって確認するようにする。
【００７１】
また、ＩＳＤＮ通信制御を実現するコンピュータ読取り可能な記録媒体において、
コンピュータに、
事前に定義された通話中着信音送出時間情報に基づく通話中着信音送出時間を任意に設定する手順と、
外線相手とのアナログ通話時において、第３者である外線相手からのアナログ着信時に、前記設定された通話中着信音送出時間だけ通話中着信音をＩＳＤＮ通信制御装置内に接続されているアナログ機器に送出する手順とを実行させるプログラムを記録させる。
【００７２】
上記の形態をとることにより、通話状態における第３者からのアナログ着信時に送出する通話中着信音の送出時間を任意に設定することで、通話状態における第３者からのアナログ着信時に、通話中着信音を設定された時間だけ送出し続けることで、第３者である外線相手からの着信を確認しつつ、通話状態にある外線相手との通話を延々と途切れさせないようにするＩＳＤＮ通信制御を実現するコンピュータ読取り可能な記録媒体を提供する。
【００７３】
【実施例】
この発明による代表的な実施例を図３ないし図１２によって説明する。なお、以下において、同じ箇所は同一の符号を付してあり、詳細な説明を省略することがある。
【００７４】
図３は本発明の実施例の構成図を示す。
【００７５】
同図において、ＩＳＤＮ通信制御装置１は、アナログ通信処理部２と、通話中着信音送出時間設定処理部３と、記憶部５ａと、タッチパネル６とを構成する。アナログ通信処理部２はＩＳＤＮ網１１と接続するとともに、ＩＳＤＮ通信制御装置１内に接続する電話機などのアナログ機器４と接続する。
【００７６】
一方、公衆回線網１０は、ＩＳＤＮ網１１および電話中心のアナログ網１２を含むディジタル通信路を提供するネットワークからなる。外線相手Ａ１３および外線相手Ｂ１４は公衆回線網１０に接続可能であり、外線相手Ａ１３はＩＳＤＮ網１１を経由してＩＳＤＮ通信制御装置１内に接続するアナログ機器４と接続されている。また、外線相手Ｂ１４はアナログ網１２とＩＳＤＮ網１１とを経由してＩＳＤＮ通信制御装置１内に接続するアナログ機器４と接続されている。
【００７７】
前記記憶部５ａは、通話状態における第３者からのアナログ着信時に、通話中着信音を送出するために事前に定義された複数の通話中着信音送出時間を示す通話中着信音送出時間情報を記憶する。
【００７８】
なお、図６（ａ）に、前記記憶部５ａに記憶する通話中着信音送出時間情報の一例を示す。図６（ａ）において、通話中着信音送出時間は、５秒間隔で設定されており、通話中着信音送出時間のなかで０秒とあるのは、従来と同様に通話中着信音をＩＳＤＮ通信制御装置１内に接続するアナログ機器４に送出し続ける場合を示している。
【００７９】
前記通話中着信音送出時間設定処理部３は、記憶部５ａに記憶する通話中着信音送出時間情報に基づいて、タッチパネル６からの操作指示に従って通話中着信音送出時間を任意に設定する処理を実行する。なお、通話中着信音送出時間を任意に設定する詳細説明は後述する。
【００８０】
また、前記通話中着信音送出時間設定処理部３は、通話中着信音送出時間を設定する場合、「ププー、ププー」と鳴らす通話中着信音を送出させる間隔を適宜に設定し、送出し続ける通話中着信音送出時間を任意に設定するようにしてもよい。
【００８１】
前記アナログ通信処理部２は、アナログ機器４が外線相手Ａ１３と通話状態にある場合、第３者である外線相手Ｂ１４からのアナログ着信時に、前記通話中着信音送出時間設定処理部３で設定された通話中着信音送出時間だけ通話中着信音をＩＳＤＮ通信制御装置１内に接続されているアナログ機器４に送出する処理を実行する。
【００８２】
また、前記アナログ通信処理部２は、設定した通話中着信音送出時間経過後に通話中着信音が停止しても、その後のＩＳＤＮ通信制御装置１内に接続されているアナログ機器４のキャッチホン操作により前記第３者である外線相手Ｂ１４との通話を可能にする処理を実行する。
【００８３】
また、前記アナログ通信処理部２は、設定した通話中着信音送出時間経過後に通話中着信音が停止した後、呼び出し中の前記第３者である外線相手Ｂ１４が呼び出し処理を停止させた場合、通話中着信音とは異なる通話中着信停止音をＩＳＤＮ通信制御装置１内に接続されているアナログ機器４に送出する処理を実行する。
【００８４】
図４は本発明の実施例の構成図を示す。
【００８５】
同図において、ＩＳＤＮ通信制御装置１は、アナログ通信処理部２と、通話中着信音送出時間設定処理部３と、前述の図６（ａ）で示した通話中着信音送出時間情報を記憶する記憶部５ａとを構成する。また、ＩＳＤＮ通信制御装置１は、操作端末となる端末装置７を接続し、通話中着信音送出時間設定処理部３は、表示部８に表示する設定画面、あるいは、キーボードなどの入力部９からのコマンド入力といった入力操作に従って通話中着信音送出時間を任意に設定する処理を実行する。
【００８６】
つぎに、通話中着信音送出時間を任意に設定する例を説明する。
【００８７】
図７（ａ）は設定画面により通話中着信音送出時間を任意に設定する一例を示す。この例では、設定画面に表示されている前述の図６（ａ）で示した通話中着信音送出時間情報に基づく通話中着信音送出時間の中から任意の送出時間を設定することになる。
【００８８】
また、図８（ａ）はコマンドにより通話中着信音送出時間を任意に設定する一例を示す。この例では、一方の電話機＃ｔｅｌ  １には、従来と同様に通話中着信音を送出し続ける場合を設定し、他方の電話機＃ｔｅｌ  ２には、通話中着信音送出時間を２０秒に設定している場合を示している。
【００８９】
つぎに、本発明とともに開発した参考例を説明する。
【００９０】
図５は参考例の構成図を示す。
【００９１】
同図において、ＩＳＤＮ通信制御装置１は、アナログ通信処理部２と、通話中着信音送出間隔設定処理部２３と、記憶部５ｂと、タッチパネル６とを構成する。アナログ通信処理部２はＩＳＤＮ網１１と接続するとともに、ＩＳＤＮ通信制御装置１内に接続する電話機などのアナログ機器４と接続する。
【００９２】
前記記憶部５ｂは、通話状態における第３者からのアナログ着信時に、通話中着信音を送出するために事前に定義された複数の通話中着信音送出間隔を示す通話中着信音送出間隔情報を記憶する。
【００９３】
なお、図６（ｂ）に、前記記憶部５ｂに記憶する通話中着信音送出間隔情報の一例を示す。図６（ｂ）において、通話中着信音送出間隔情報のなかで通話中着信音送出間隔が３秒間隔の場合は、従来と同様に通話中着信音をＩＳＤＮ通信制御装置１内に接続するアナログ機器４に３秒間隔で送出し続ける場合を示している。
【００９４】
前記通話中着信音送出間隔設定処理部２３は、記憶部５ｂに記憶する通話中着信音送出間隔情報に基づいて、タッチパネル６からの操作指示に従って通話中着信音送出間隔を任意に設定する処理を実行する。
【００９５】
また、ＩＳＤＮ通信制御装置１は、前述の図４に示したように、操作端末となる端末装置７を接続し、通話中着信音送出間隔設定処理部２３は、表示部８に表示する設定画面、あるいは、キーボードなどの入力部９からのコマンド入力といった入力操作に従って通話中着信音送出間隔を任意に設定する処理を実行することもできる。なお、通話中着信音送出間隔を任意に設定する詳細説明は後述する。
【００９６】
前記アナログ通信処理部２は、アナログ機器４が外線相手Ａ１３と通話状態にある場合、第３者である外線相手Ｂ１４からのアナログ着信時に、前記通話中着信音送出間隔設定処理部２３で設定された通話中着信音送出間隔に基づいて通話中着信音をＩＳＤＮ通信制御装置１内に接続されているアナログ機器４に送出し続ける処理を実行する。
【００９７】
つぎに、通話中着信音送出間隔を任意に設定する例を説明する。
【００９８】
図７（ｂ）は設定画面により通話中着信音送出間隔を任意に設定する一例を示す。この例では、設定画面に表示されている前述の図６（ｂ）で示した通話中着信音送出間隔情報に基づく設定画面に表示されている通話中着信音送出間隔の中から任意の送出間隔を設定することになる。
【００９９】
図８（ｂ）はコマンドにより通話中着信音送出間隔を任意に設定する一例を示す。この例では、一方の電話機＃ｔｅｌ  １には、従来と同様に通話中着信音を３秒間隔で送出し続ける場合を設定し、他方の電話機＃ｔｅｌ  ２には、通話中着信音を１５秒間隔で送出し続ける場合を示している。
【０１００】
つぎに、前述の図３および図４に示したＩＳＤＮ通信制御装置の処理手順を説明する。
【０１０１】
図９は本発明の実施例のフローチャートを示す。同図は、設定した通話中着信音送出時間経過後に通話中着信音が停止しても、その後のＩＳＤＮ通信制御装置内に接続されているアナログ機器のキャッチホン操作により、前記第３者である外線相手との通話を可能にする処理手順を示す。
【０１０２】
ステップＳ１１において、ＩＳＤＮ通信制御装置１にキャッチホンまたは擬似キャッチホンの設定を行う。
【０１０３】
ステップＳ１２において、通話中着信音送出時間設定処理部３は入力指示に従って通話中着信音送出時間を設定する。
【０１０４】
ステップＳ１３において、ＩＳＤＮ通信制御装置１内に接続されているアナログ機器４と外線相手Ａ１３とが通話中の状態となる。
【０１０５】
ステップＳ１４において、外線相手Ｂ１４がＩＳＤＮ通信制御装置１にアナログ発信を行う。
【０１０６】
ステップＳ１５において、アナログ通信処理部２はアナログ機器４に通話中着信音の送出を実行する。（アナログ機器４と外線相手Ａ１３とが通話状態、外線相手Ｂ１４は呼び出し状態）
【０１０７】
ステップＳ１６において、アナログ通信処理部２はステップＳ１２で設定された通話中着信音送出時間を経過したか判定する。設定時間を経過していれば、ステップＳ１７に進む。設定時間を経過していなければ、ステップＳ１５に戻る。
【０１０８】
ステップＳ１７において、アナログ通信処理部２は通話中着信音の送出を停止する。
【０１０９】
ステップＳ１８において、アナログ機器４の利用者がキャッチホン（フッキング）操作を行う。
【０１１０】
ステップＳ１９において、アナログ通信処理部２はアナログ機器４の通話を外線相手Ｂ１４に切替える。
【０１１１】
図１０は本発明の実施例のフローチャートを示す。同図は、設定した通話中着信音送出時間経過後に通話中着信音が停止した後、呼び出し中の第３者である外線相手が呼び出し処理を停止させた場合、通話中着信停止音をＩＳＤＮ通信制御装置内に接続されているアナログ機器に送出する処理手順を示す。
【０１１２】
ステップＳ３１において、ＩＳＤＮ通信制御装置１にキャッチホンまたは擬似キャッチホンの設定を行う。
【０１１３】
ステップＳ３２において、通話中着信音送出時間設定処理部３は入力指示に従って通話中着信音送出時間を設定する。
【０１１４】
ステップＳ３３において、ＩＳＤＮ通信制御装置１内に接続されているアナログ機器４と外線相手Ａ１３とが通話中の状態となる。
【０１１５】
ステップＳ３４において、外線相手Ｂ１４がＩＳＤＮ通信制御装置１にアナログ発信を行う。
【０１１６】
ステップＳ３５において、アナログ通信処理部２はアナログ機器４に通話中着信音の送出を実行する。（アナログ機器４と外線相手Ａ１３とが通話状態、外線相手Ｂ１４は呼び出し状態）
【０１１７】
ステップＳ３６において、アナログ通信処理部２はステップＳ３２で設定された通話中着信音送出時間を経過したか判定する。設定時間を経過していれば、ステップＳ３７に進む。設定時間を経過していなければ、ステップＳ３５に戻る。
【０１１８】
ステップＳ３７において、アナログ通信処理部２は通話中着信音の送出を停止する。
【０１１９】
ステップＳ３８において、外線相手Ｂ１４が呼び出しを中止する。
【０１２０】
ステップＳ３９において、アナログ通信処理部２はアナログ機器４に通話中着信停止音を送出する。
【０１２１】
以上説明したように、本発明の実施例によれば、図１１に示すように、通話中着信音送出時間を任意に設定することで、通話状態における第３者からの呼び出し中において、通話中着信音を設定された時間だけ送出し続ける。
【０１２２】
さらに、図１１（ａ）に示すように、設定した通話中着信音送出時間経過後に通話中着信音が停止しても、その後のＩＳＤＮ通信制御装置内に接続されているアナログ機器のキャッチホン操作により第３者である外線相手との通話を可能にする。
【０１２３】
さらに、図１１（ｂ）に示すように、第３者である外線相手が呼び出し処理を停止させた場合、通話中着信停止音をＩＳＤＮ通信制御装置内に接続されているアナログ機器に送出し、第３者である外線相手が呼び出し処理を停止させたことを通知する。
【０１２４】
また、参考例においては、図１２に示すように、通話中着信音送出間隔を適宜に長く設定すれば、通話状態における第３者からのアナログ着信時に、通話状態にある外線相手との通話に支障をきたすことなく、３者である外線相手からの着信を通知する。
【０１２５】
【発明の効果】
この発明により、以下に示すような効果が期待できる。
【０１２６】
事前に定義された通話中着信音送出時間情報に基づく通話中着信音送出時間を任意に設定することができ、通話状態における第３者からのアナログ着信時に、通話中着信音を設定された時間だけ送出し続けることで、第３者である外線相手からの着信を確認しつつ、通話状態にある外線相手との通話を延々と途切れさせないようにすることができ、通話状態にある外線相手との通話に支障をきたさなくすることができる。
【０１２７】
さらに、通話中着信音送出時間情報を表示部に表示し、任意の通話中着信音送出時間を設定画面によって設定することができる。
【０１２８】
さらに、通話中着信音送出時間情報に基づいてコマンド入力によって任意の通話中着信音送出時間を設定することができる。
【０１２９】
さらに、設定した通話中着信音送出時間経過後に通話中着信音が停止しても、その後のＩＳＤＮ通信制御装置内に接続されているアナログ機器のキャッチホン操作により第３者である外線相手との通話を可能にすることができ、第３者である外線相手の呼び出しを停止させないようにすることができる。
【０１３０】
さらに、第３者である外線相手が呼び出し処理を停止させた場合、通話中着信停止音をＩＳＤＮ通信制御装置内に接続されているアナログ機器に送出することができ、第３者である外線相手が呼び出し処理を停止させたことを通話中着信停止音によって確認することができる。
【図面の簡単な説明】
【図１】本発明の構成図である。
【図２】本発明とともに開発した参考例の構成図である。
【図３】本発明の実施例の構成図である。
【図４】本発明の実施例の構成図である。
【図５】本発明の参考例の構成図である。
【図６】本発明の実施例および参考例を説明するための図である。
【図７】同じく、本発明の実施例および参考例を説明するための図である。
【図８】同じく、本発明の実施例および参考例を説明するための図である。
【図９】本発明の実施例のフローチャートである。
【図１０】本発明の実施例のフローチャートである。
【図１１】本発明の実施例の説明図である。
【図１２】本発明の参考例の説明図である。
【図１３】従来技術の構成図である。
【図１４】従来技術のフローチャートである。
【図１５】従来技術のフローチャートである。
【図１６】従来技術の説明図である。
【符号の説明】
１：ＩＳＤＮ通信制御装置
２：アナログ通信処理部
３：通話中着信音送出時間設定処理部
４：アナログ機器
５：通話中着信音送出時間記憶部
２３：通話中着信音送出間隔設定処理部
２５：通話中着信音送出間隔記憶部
【図１】
0003803242.tif 000002
【図２】
0003803242.tif 000003
【図３】
0003803242.tif 000004
【図４】
0003803242.tif 000005
【図５】
0003803242.tif 000006
【図６】
0003803242.tif 000007
【図７】
0003803242.tif 000008
【図８】
0003803242.tif 000009
【図９】
0003803242.tif 000010
【図１０】
0003803242.tif 000011
【図１１】
0003803242.tif 000012
【図１２】
0003803242.tif 000013
【図１３】
0003803242.tif 000014
【図１４】
0003803242.tif 000015
【図１５】
0003803242.tif 000016
【図１６】
0003803242.tif 000017